(57)【要約】      （修正有）【課題】電子ボリュームの操作感を機械式ボリュームと同等にしつつ、遠隔操作時でもユーザが意図した音量に微調整することが可能な音量制御装置及び音量制御方法等を提供する。【解決手段】ユーザにより押下される操作ボタンが設けられた操作器からの操作信号を入力し、操作ボタンが予め設定された押下時間以上継続して押下されていない場合には電子ボリュームの短押し制御を行う一方、押下時間以上継続して押下された場合には電子ボリュームの長押し制御を行う。短押し制御の場合には、モータを駆動させつつ、入力された位置信号に基づいてポテンショメータの摺動子の位置が予め設定された１ステップ分遷移したか否かを判断し、１ステップ分遷移した場合にモータの駆動を停止させると共に、当該１ステップ分音量を変化させる。一方、長押し制御の場合には、操作ボタンの押下が継続している間前記モータを駆動させると共に、継続している間音量を変化させる。【選択図】図１
2010124424.tif 000002
【特許請求の範囲】
【請求項１】
電子ボリュームを制御する音量制御装置において、
ユーザの操作により連続的に動作する操作部材に連動し、且つモータの駆動により動作するポテンショメータの摺動子の位置に応じた位置信号を入力する位置信号入力手段と、
ユーザにより押下される操作ボタンが設けられた操作器からの操作信号を入力する操作信号入力手段と、
前記入力された操作信号に基づいて、前記操作ボタンが予め設定された押下時間以上継続して押下されたか否かを判別する判別手段と、
前記押下時間以上継続して押下されていない場合には前記電子ボリュームの短押し制御を行う一方、前記押下時間以上継続して押下された場合には前記電子ボリュームの長押し制御を行う制御手段と、
を備え、
前記短押し制御の場合において、前記制御手段は、前記モータを駆動させつつ、前記入力された位置信号に基づいて前記ポテンショメータの摺動子の位置が予め設定された１ステップ分遷移したか否かを判断し、１ステップ分遷移した場合に前記モータの駆動を停止させると共に、当該１ステップ分音量を変化させ、
前記長押し制御の場合において、前記制御手段は、前記操作ボタンの押下が継続している間前記モータを駆動させると共に、前記継続している間音量を変化させることを特徴とする音量制御装置。
【請求項２】
請求項１に記載の音量制御装置において、
前記制御手段は、前記１ステップ分遷移した場合に、当該１ステップ分音量を変化させると共に、表示部に表示されている音量ステップの表示内容を当該１ステップ分変化させることを特徴とする音量制御装置。
【請求項３】
電子ボリュームを制御する音量制御方法において、
ユーザの操作により連続的に動作する操作部材に連動し、且つモータの駆動により動作するポテンショメータの摺動子の位置に応じた位置信号を入力する工程と、
ユーザにより押下される操作ボタンが設けられた操作器からの操作信号を入力する工程と、
前記入力された操作信号に基づいて、前記操作ボタンが予め設定された押下時間以上継続して押下されたか否かを判別する工程と、
前記押下時間以上継続して押下されていない場合には前記電子ボリュームの短押し制御を行う一方、前記押下時間以上継続して押下された場合には前記電子ボリュームの長押し制御を行う制御工程と、
を含み、
前記短押し制御を行う制御工程においては、前記モータを駆動させつつ、前記入力された位置信号に基づいて前記ポテンショメータの摺動子の位置が予め設定された１ステップ分遷移したか否かを判断し、１ステップ分遷移した場合に前記モータの駆動を停止させると共に、当該１ステップ分音量を変化させ、
前記長押し制御を行う制御工程においては、前記操作ボタンの押下が継続している間前記モータを駆動させると共に、前記継続している間音量を変化させることを特徴とする音量制御方法。
【請求項４】
電子ボリュームを制御するコンピュータを、
ユーザの操作により連続的に動作する操作部材に連動し、且つモータの駆動により動作するポテンショメータの摺動子の位置に応じた位置信号を入力する位置信号入力手段、
ユーザにより押下される操作ボタンが設けられた操作器からの操作信号を入力する操作信号入力手段、
前記入力された操作信号に基づいて、前記操作ボタンが予め設定された押下時間以上継続して押下されたか否かを判別する判別手段、及び、
前記押下時間以上継続して押下されていない場合には前記電子ボリュームの短押し制御を行う一方、前記押下時間以上継続して押下された場合には前記電子ボリュームの長押し制御を行う制御手段として機能させ、
前記短押し制御の場合において、前記モータを駆動させつつ、前記入力された位置信号に基づいて前記ポテンショメータの摺動子の位置が予め設定された１ステップ分遷移したか否かを判断し、１ステップ分遷移した場合に前記モータの駆動を停止させると共に、当該１ステップ分音量を変化させ、
前記長押し制御の場合において、前記操作ボタンの押下が継続している間前記モータを駆動させると共に、前記継続している間音量を変化させるように機能させることを特徴とする音量制御処理プログラム。
【請求項５】
請求項４に記載の音量制御処理プログラムがコンピュータ読み取り可能に記録されていることを特徴とする記録媒体。
【発明の詳細な説明】
【技術分野】
【０００１】
本願は、電子ボリュームを制御する音量制御装置及び方法等の技術分野に関する。
【背景技術】
【０００２】
従来から、音響機器における音量調整に用いられる機械式ボリューム（可変抵抗器を使用）として、摺動子を手動だけでなく、同じ軸に繋がるモータで動作させることにより、遠隔操作でも調整可能にしたものが知られている（例えば、特許文献１参照）。
【０００３】
一方、近年、例えばＵＰ／ＤＯＷＮボタン（キー）の操作に応じて音量調整を行う電子ボリュームが広く普及しているが、操作感を機械式ボリュームと同等にするために、操作部にロータリーエンコーダやポテンショメータ等を用い、回転操作量に応じて当該電子ボリュームを制御する手法も知られている。回転操作を電子ボリュームの制御へ適用する手法は単純なキー操作方式に比べ構造が複雑でより多くのコストを要するが、伝統的な操作感が重視される傾向が強い高級音響機器の分野で、主に本体操作部に適用されることが多い。
【０００４】
しかしながら、音響機器用のロータリーエンコーダは一般的に、音量最小から最大まで変化させるために数回転させる必要があり、機械式ボリュームの操作感を完全に再現することが困難である。反面、回転操作時の相対的な角度変化量を音量制御の増減の情報として利用しているので、リモコンによる遠隔操作時はロータリーエンコーダの絶対角度とは無関係に電子ボリュームを制御するだけで良く、リモコン対応は容易である。
【０００５】
一方、ポテンショメータの基本構造は機械式ボリュームと同じ可変抵抗器であるので、
操作感は機械式ボリュームと全く同等であり、この点ではロータリーエンコーダを使った手法よりも優れている。反面、ポテンショメータの場合は回転角度の絶対量の大小と実際の音量の大小が常に対応していなければならないので、リモコンによる遠隔操作に対応させる場合は、遠隔操作に応じてポテンショメータも連動するようにポテンショメータ自体をモータで駆動する必要がある。
【特許文献１】特開平１−２９３６０１号公報
【発明の開示】
【発明が解決しようとする課題】
【０００６】
しかしながら、従来の手法では、リモコンからの遠隔操作に対し、モータの回転及び停止には、ある程度のタイムラグが避けられないので、当該遠隔操作時にユーザが意図した音量に微調整することが難しいという問題がある。
【０００７】
また、電子ボリュームの場合は音量ステップを表示させるためのディスプレイを備える場合もあるので、当該表示を１ステップだけ増減させようとしても、２、３ステップ進んでしまうといった使い難さが生じやすいという問題がある。
【０００８】
そこで、本願は、このような問題の解消を課題の一つとし、電子ボリュームの操作感を機械式ボリュームと同等にしつつ、遠隔操作時でもユーザが意図した音量に微調整することが可能な音量制御装置及び音量制御方法等を提供することを目的とする。
【課題を解決するための手段】
【０００９】
上記課題を解決するため、請求項１に記載の発明は、電子ボリュームを制御する音量制御装置において、ユーザの操作により連続的に動作する操作部材に連動し、且つモータの駆動により動作するポテンショメータの摺動子の位置に応じた位置信号を入力する位置信号入力手段と、ユーザにより押下される操作ボタンが設けられた操作器からの操作信号を入力する操作信号入力手段と、前記入力された操作信号に基づいて、前記操作ボタンが予め設定された押下時間以上継続して押下されたか否かを判別する判別手段と、前記押下時間以上継続して押下されていない場合には前記電子ボリュームの短押し制御を行う一方、前記押下時間以上継続して押下された場合には前記電子ボリュームの長押し制御を行う制御手段と、を備え、前記短押し制御の場合において、前記制御手段は、前記モータを駆動させつつ、前記入力された位置信号に基づいて前記ポテンショメータの摺動子の位置が予め設定された１ステップ分遷移したか否かを判断し、１ステップ分遷移した場合に前記モータの駆動を停止させると共に、当該１ステップ分音量を変化させ、前記長押し制御の場合において、前記制御手段は、前記操作ボタンの押下が継続している間前記モータを駆動させると共に、前記継続している間音量を変化させることを特徴とする。
【００１０】
請求項３に記載の発明は、電子ボリュームを制御する音量制御方法において、ユーザの操作により連続的に動作する操作部材に連動し、且つモータの駆動により動作するポテンショメータの摺動子の位置に応じた位置信号を入力する工程と、ユーザにより押下される操作ボタンが設けられた操作器からの操作信号を入力する工程と、前記入力された操作信号に基づいて、前記操作ボタンが予め設定された押下時間以上継続して押下されたか否かを判別する工程と、前記押下時間以上継続して押下されていない場合には前記電子ボリュームの短押し制御を行う一方、前記押下時間以上継続して押下された場合には前記電子ボリュームの長押し制御を行う制御工程と、を含み、前記短押し制御を行う制御工程においては、前記モータを駆動させつつ、前記入力された位置信号に基づいて前記ポテンショメータの摺動子の位置が予め設定された１ステップ分遷移したか否かを判断し、１ステップ分遷移した場合に前記モータの駆動を停止させると共に、当該１ステップ分音量を変化させ、前記長押し制御を行う制御工程においては、前記操作ボタンの押下が継続している間前記モータを駆動させると共に、前記継続している間音量を変化させることを特徴とする。
【００１１】
請求項４に記載の音量制御処理プログラムの発明は、電子ボリュームを制御するコンピュータを、ユーザの操作により連続的に動作する操作部材に連動し、且つモータの駆動により動作するポテンショメータの摺動子の位置に応じた位置信号を入力する位置信号入力手段、ユーザにより押下される操作ボタンが設けられた操作器からの操作信号を入力する操作信号入力手段、前記入力された操作信号に基づいて、前記操作ボタンが予め設定された押下時間以上継続して押下されたか否かを判別する判別手段、及び、前記押下時間以上継続して押下されていない場合には前記電子ボリュームの短押し制御を行う一方、前記押下時間以上継続して押下された場合には前記電子ボリュームの長押し制御を行う制御手段として機能させ、前記短押し制御の場合において、前記モータを駆動させつつ、前記入力された位置信号に基づいて前記ポテンショメータの摺動子の位置が予め設定された１ステップ分遷移したか否かを判断し、１ステップ分遷移した場合に前記モータの駆動を停止させると共に、当該１ステップ分音量を変化させ、前記長押し制御の場合において、前記操作ボタンの押下が継続している間前記モータを駆動させると共に、前記継続している間音量を変化させるように機能させることを特徴とする。
【発明を実施するための最良の形態】
【００１２】
以下、本願の最良の実施形態を添付図面に基づいて説明する。なお、以下に説明する実施の形態は、音響機器に対して本願の音量制御装置等を適用した場合の実施形態である。
【００１３】
先ず、図１を参照して、本願の一実施形態に係る音響機器の構成及び機能について説明する。
【００１４】
図１は、本実施形態に係る音響機器の概要構成例を示す図である。図１に示すように、本実施形態に係る音響機器Ｓは、オーディオ再生処理部１、電子ボリューム２、パワーアンプ３、スピーカＳＰ、信号受信部４、つまみ５、ポテンショメータ６、モータ７、モータドライバ８、Ａ／Ｄコンバータ９、表示部１０、及び制御部１１等を備えて構成されている。
【００１５】
オーディオ再生処理部１は、例えば、オーディオデータが記録された記録媒体（例えば、ＣＤ（Compact Disc）、ＨＤ（Hard Disk）、カード型記録媒体等）からオーディオ信号を再生出力する。なお、オーディオ再生処理部１は、テレビ放送やラジオ放送された音声信号等を受信するチューナであっても良い。
【００１６】
電子ボリューム２は、制御部１１の制御の下、オーディオ再生処理部１から入力されたオーディオ信号の音量を調整し（例えば、当該オーディオ信号の振幅を数十ステップの段階で上げ（増加）又は下げ（減少）させる）、パワーアンプ３に出力する。こうして、出力されたオーディオ信号は、パワーアンプ３により増幅されスピーカＳＰに出力される。
【００１７】
信号受信部４は、ユーザが音響機器Ｓを遠隔操作するためのリモコン（操作器の一例）Ｒからの操作信号を例えば赤外線により受信して制御部１１に出力する。
【００１８】
リモコンＲには、ユーザにより押下される操作ボタン、図示の例では、ＵＰボタンＢ１及びＤＯＷＮボタンＢ２が設けられている。ＵＰボタンＢ１は、オーディオ信号の音量を上げ指示するためのボタンであり、ＤＯＷＮボタンＢ２は、オーディオ信号の音量を下げ指示するためのボタンである。例えば、ユーザがＵＰボタンＢ１又はＤＯＷＮボタンＢ２を押下している間、音量上げ又は音量下げを示す操作信号がリモコンＲから出力されることになる。
【００１９】
つまみ５は、ユーザが意図した音量に調整するための操作部材であり、当該ユーザの操作により連続的に回転動作（手動で図中矢印方向に回る）する。
【００２０】
ポテンショメータ６の軸は、つまみ５とモータ７による駆動機構を持ち、これにより、ポテンショメータ６は、つまみ５に連動し、且つモータ７の駆動により動作するようになっている。なお、図１の例では、ポテンショメータ６は回転式であるが、ポテンショメータ６の摺動子をモータ７で駆動できるものであれば良いので、ポテンショメータ６はスライド式であっても良い。
【００２１】
モータ７は、制御部１１の制御の下、モータドライバ８により駆動される。
【００２２】
Ａ／Ｄコンバータ９は、ポテンショメータ６の摺動子の位置に応じた出力電圧を検出しており、検出した出力電圧を位置信号に変換して制御部１１に出力する。例えば、ポテンショメータ６には、定電圧Vrefを印加しておき、ポテンショメータ６の摺動子の位置によって出力電圧を０〜Vrefまで変化させることができる。例えば、ユーザにより手動でつまみ５が回された場合や、リモコンＲによる遠隔操作でモータ７が駆動された場合、ポテンショメータ６は動作するが、かかるポテンショメータ６の摺動子の位置の変化によって出力電圧が変化する。そして、その出力電圧は、Ａ／Ｄコンバータ９によって数bitの位置信号（デジタル値）に変換され制御部１１に出力される。
【００２３】
表示部１０は、制御部１１の制御の下、音量ステップの表示を行う。例えば、音量の大きさに応じて数十段階（例えば、１〜５０）の音量ステップがあり、各音量ステップに応じた数値や図形等で表示される。
【００２４】
制御部１１は、ＣＰＵ，ＲＯＭ，ＲＡＭ，及び不揮発性メモリ等により構成されており、音響機器Ｓ全体を統括制御すると共に、例えばＲＯＭに記憶された本願の音量制御処理プログラムの実行により、位置信号入力手段、操作信号入力手段、判別手段、及び制御手段等として機能するようになっている。
【００２５】
具体的には、制御部１１は、信号受信部４からの操作信号と、Ａ／Ｄコンバータ９からの位置信号と、を周期的に監視している。そして、制御部１１は、信号受信部４からの操作信号を入力すると、当該入力された操作信号に基づいて、リモコンＲに設けられた操作ボタン（ＵＰボタンＢ１又はＤＯＷＮボタンＢ２）が予め設定された押下時間（例えば、０．５秒程度）以上継続して押下された（押し続けた）か否かを判別し、上記押下時間以上継続して押下されていない場合には電子ボリューム２の短押し制御を行う一方、上記押下時間以上継続して押下された場合には電子ボリューム２の長押し制御を行うようになっている。なお、予め設定された押下時間以上継続して押下されたか否かの判別方法としては、リモコンＲ側で閾値を持ち、押下時間の違いによって異なるコードを送信するか、又は、制御部１１側で閾値を持ち、同じコードが連続する回数もしくは時間によって判別する方法のどちらでも良い。
【００２６】
短押し制御の場合において、制御部１１は、モータドライバ８に駆動指令を与えることによりモータ７を駆動（ＵＰボタンＢ１又はＤＯＷＮボタンＢ２に応じた回転方向にモータ７を駆動）させつつ、Ａ／Ｄコンバータ９から入力された位置信号に基づいてポテンショメータ６の摺動子の位置が予め設定された１ステップ分遷移したか否かを判断し、１ステップ分遷移した場合にモータ９の駆動を停止させると共に、当該１ステップ分音量を変化（音量ステップを上げ（＋１）又は下げ（−１））させる。例えば、制御部１１における不揮発性メモリには、位置信号に基づく値（Ａ／Ｄ値）と音量との対応関係を予め定めたテーブルが記憶されており、制御部１１は、当該テーブルに基づき、電子ボリューム２の設定値（１ステップ分上げ又は下げた音量）を決定し、当該設定値で電子ボリューム２に音量を設定させる（設定指令を与える）。更に、このとき、制御部１１は、上記１ステップ分音量を変化させると共に、表示部１０に表示されている音量ステップの表示内容を当該１ステップ分変化させる（例えば、Ｖｏｌ“１２”から“１３”に変化させる）。
【００２７】
なお、モータ７の回転速度が速すぎて１ステップ分の制御が難しい場合は、この短押し制御の期間だけモータ７の駆動電圧（モータ７への供給電圧）を長押し制御の期間よりも下げモータ７の回転速度を遅くするように構成すると良い。これにより微妙な操作を円滑にすることができる。
【００２８】
一方、長押し制御の場合において、制御部１１は、操作ボタンの押下が継続している（押し続けている）間（つまり、信号受信部４からの操作信号が継続して入力されている間）、モータドライバ８に駆動指令を与えることによりモータ７を駆動させると共に、当該継続している間音量を変化（音量ステップを連続的に上げ又は下げ）させる。つまり、制御部１１は、操作信号の入力が無くなった（操作ボタンの押下が解除された）時点でモータ７の駆動を停止させるが、当該モータ７の駆動開始から停止までの間、Ａ／Ｄコンバータ９からの位置信号に基づく値は刻々と変化するから、制御部１１はそれに応じて電子ボリューム２の設定値を逐次決定し、当該設定値で電子ボリューム２に逐次音量を再設定させる。更に、このとき、制御部１１は、表示部１０に表示されている音量ステップの表示内容を当該Ａ／Ｄコンバータ９からの位置信号に基づく値に応じて変化させる。
【００２９】
次に、図２を参照して、制御部１１における音量制御処理について説明する。
【００３０】
図２は、制御部１１における音量制御処理を示すフローチャートである。
【００３１】
図２に示す処理は、例えば、音響機器Ｓの電源オンにより開始される。当該処理が開始されると、先ず、制御部１１は、Ａ／Ｄコンバータ９からの位置信号に基づく値（ポテンショメータ６の摺動子の現在の位置に応じた値）と、上述したテーブルに基づき、電子ボリューム２の設定値を決定し、当該設定値で電子ボリューム２に音量を設定させ、更に、Ａ／Ｄコンバータ９からの位置信号に基づく値に応じた音量ステップに表示設定する（ステップＳ１）。
【００３２】
次いで、制御部１１は、リモコンＲから信号受信部４を介して操作信号が入力された場合、音量上げ指示であるか（つまり、ＵＰボタンＢ１の押下によるものであるか）、又は音量下げ指示であるか（つまり、ＤＯＷＮボタンＢ２の押下によるものであるか）を当該操作信号に基づき判別し（ステップＳ２）、音量上げ指示である場合（ステップＳ２：音量アップ）にはステップＳ３に進み、音量下げ指示である場合（ステップＳ２：音量ダウン）にはステップＳ１４に進む。また、リモコンＲからの操作信号が入力されない場合（ステップＳ２：Ｎｏ）にはステップＳ１に戻り、制御部１１は、手動によるつまみ５への操作に応じて、電子ボリューム２への音量設定と、音量ステップの表示設定を繰り返し行う。
【００３３】
ステップＳ３では、制御部１１は、上記入力された操作信号に基づいて、リモコンＲに設けられたＵＰボタンＢ１が予め設定された押下時間以上継続して押下されたか否かを判別する。そして、上記押下時間以上継続して押下されていない場合には（ステップＳ３：Ｎｏ）、制御部１１は、短押し制御を開始し、ステップＳ４に進み、上記押下時間以上継続して押下された場合には（ステップＳ３：Ｙｅｓ）、制御部１１は、長押し制御を開始し、ステップＳ８に進む。
【００３４】
ステップＳ４では、制御部１１は、モータ７の駆動電圧（モータ７への供給電圧）をＬｏｗ（低く）に設定し、モータドライバ８に駆動指令を与えて音量を上げる方向にモータ７を駆動させる。
【００３５】
次いで、制御部１１は、Ａ／Ｄコンバータ９から入力された位置信号に基づいてポテンショメータ６の摺動子の位置が予め設定された１ステップ分遷移したか否かを判断し（ステップＳ５）、１ステップ分遷移した場合には（ステップＳ５：Ｙｅｓ）、モータ９の駆動を停止させると共に、電子ボリューム２に１ステップ分音量を上げさせる（ステップＳ６）。つまり、電子ボリューム２の設定値を１段上げる。
【００３６】
次いで、制御部１１は、表示部１０に表示されている音量ステップの表示内容を１ステップ分上げさせ（ステップＳ７）、ステップＳ２に戻る。
【００３７】
一方、ステップＳ８では、制御部１１は、モータ７の駆動電圧（モータ７への供給電圧）をＨｉｇｈ（高く）に設定し、モータドライバ８に駆動指令を与えて音量を上げる方向にモータ７を駆動させる。
【００３８】
次いで、制御部１１は、Ａ／Ｄコンバータ９から入力された位置信号に基づいてポテンショメータ６の摺動子の位置が予め設定された１ステップ分遷移したか否かを判断し（ステップＳ９）、１ステップ分遷移した場合には（ステップＳ９：Ｙｅｓ）、電子ボリューム２に１ステップ分音量を上げさせる（ステップＳ１０）。
【００３９】
次いで、制御部１１は、表示部１０に表示されている音量ステップの表示内容を１ステップ分上げさせる（ステップＳ１１）。
【００４０】
次いで、制御部１１は、リモコンＲからの操作信号の入力は継続しているか否かを判別し（ステップ１２）、継続している場合には（ステップＳ１２：Ｙｅｓ）、ステップＳ９に戻り、上記と同様の処理を継続し、継続していない（つまり、長押し解除）場合には（ステップＳ１２：Ｎｏ）、モータ９の駆動を停止させ（ステップＳ１３）、ステップＳ２に戻る。
【００４１】
一方、ステップＳ１４では、制御部１１は、上記入力された操作信号に基づいて、リモコンＲに設けられたＤＯＷＮボタンＢ２が予め設定された押下時間以上継続して押下されたか否かを判別する。
【００４２】
そして、上記押下時間以上継続して押下されていない場合には（ステップＳ１４：Ｎｏ）、制御部１１は、短押し制御を開始し、ステップＳ１５に進み、上記押下時間以上継続して押下された場合には（ステップＳ１４：Ｙｅｓ）、制御部１１は、長押し制御を開始し、ステップＳ１９に進む。
【００４３】
ステップＳ１５では、制御部１１は、モータ７の駆動電圧（モータ７への供給電圧）をＬｏｗに設定し、モータドライバ８に駆動指令を与えて音量を下げる方向にモータ７を駆動させる。
【００４４】
次いで、制御部１１は、Ａ／Ｄコンバータ９から入力された位置信号に基づいてポテンショメータ６の摺動子の位置が予め設定された１ステップ分遷移したか否かを判断し（ステップＳ１６）、１ステップ分遷移した場合には（ステップＳ１６：Ｙｅｓ）、モータ９の駆動を停止させると共に、電子ボリューム２に１ステップ分音量を下げさせる（ステップＳ１７）。つまり、電子ボリューム２の設定値を１段下げる。
【００４５】
次いで、制御部１１は、表示部１０に表示されている音量ステップの表示内容を１ステップ分下げさせ（ステップＳ１８）、ステップＳ２に戻る。
【００４６】
一方、ステップＳ１９では、制御部１１は、モータ７の駆動電圧（モータ７への供給電圧）をＨｉｇｈに設定し、モータドライバ８に駆動指令を与えて音量を下げる方向にモータ７を駆動させる。
【００４７】
次いで、制御部１１は、Ａ／Ｄコンバータ９から入力された位置信号に基づいてポテンショメータ６の摺動子の位置が予め設定された１ステップ分遷移したか否かを判断し（ステップＳ２０）、１ステップ分遷移した場合には（ステップＳ２０：Ｙｅｓ）、電子ボリューム２に１ステップ分音量を下げさせる（ステップＳ２１）。
【００４８】
次いで、制御部１１は、表示部１０に表示されている音量ステップの表示内容を１ステップ分下げさせる（ステップＳ２２）。
【００４９】
次いで、制御部１１は、リモコンＲからの操作信号の入力は継続しているか否かを判別し（ステップ２３）、継続している場合には（ステップＳ２３：Ｙｅｓ）、ステップＳ２０に戻り、上記と同様の処理を継続し、継続していない場合には（ステップＳ２３：Ｎｏ）、モータ９の駆動を停止させ（ステップＳ２４）、ステップＳ２に戻る。
【００５０】
以上説明したように、上記実施形態によれば、制御部１１は、操作ボタンの短押しと長を区別し、短押しの場合、モータ７を駆動させつつ、ポテンショメータ６の摺動子の位置が予め設定された１ステップ分遷移したか否かを判断し、１ステップ分遷移した場合にモータ９の駆動を停止させると共に当該１ステップ分音量を変化させる一方、長押しの場合において、操作ボタンの押下が継続している間、モータ７を駆動させると共に音量を変化させるように構成したので、電子ボリューム２の操作感を機械式ボリュームと同等にしつつ、リモコンＲを用いた遠隔操作時でもユーザが意図した音量に確実に微調整することができる。
【００５１】
また、短押し制御においては、上記１ステップ分音量を変化させると共に、表示部１０に表示されている音量ステップの表示内容を当該１ステップ分変化させるように構成したので、当該表示を１ステップだけ増減させようとしても、２、３ステップ進んでしまうことを防止することができる。
【図面の簡単な説明】
【００５２】
【図１】本実施形態に係る音響機器の概要構成例を示す図である。
【図２】制御部１１における音量制御処理を示すフローチャートである。
【符号の説明】
【００５３】
１  オーディオ再生処理部
２  電子ボリューム
３  パワーアンプ
４  信号受信部
５  つまみ
６  ポテンショメータ
７  モータ
８  モータドライバ
９  Ａ／Ｄコンバータ
１０  表示部
１１  制御部
ＳＰ  スピーカ
Ｓ  音響機器
【図１】
2010124424.tif 000003
【図２】
2010124424.tif 000004